(57)【特許請求の範囲】
【請求項１】
合成樹脂により形成され中栓（１２）と、該中栓（１２）に装着される外蓋（１０）と、を備えたキャップであって；
前記中栓（１２）は、容器の口部を内外から挟持する内筒（１）、中筒（２）、及び接続部（３）から成る挟持部（４）；前記内筒（１）の内側に一体に設けられた、通口を形成できる遮断壁（５）；前記挟持部（４）に、かつ前記中筒（２）と間隙（６）を隔てて、前記中筒（２）の外側に上端部（７）を連接部（８）により連接し、下端部（９）を開放状態として一体に設けられた外筒（１１）であって、その外周面に前記外蓋（１０）を螺合するねじ部が形成され、下方の方が半径方向外方に傾斜した外筒（１１）；により形成されており、前記間隙（６）は、開放状態に形成され、
前記外蓋（１０）は、該中栓（１２）の前記外筒（１１）に螺合して装脱自在に設けられることを特徴とするキャップ。
【請求項２】
外筒（１１）は、前記下端部（９）に鍔状部（１３）を介して、容器（１４）の外周に接するスカート部（１５）を有している請求項１記載のキャップ。
【発明の詳細な説明】
【０００１】
【発明の属する技術分野】
この発明は容器の口部に設けて用いるキャップに関する。
【０００２】
【従来の技術】
従来、ドレッシング等を収容する容器のキャップとして図２に示すような構造のものが広く用いらている。この発明は上記従来のキャップを改良するものであるので、まず同図に示すキャップを説明する。
同図において５１は中栓であり、合成樹脂により形成され、内筒５２、中筒５３、接続部５４により挟持部５５を形成して、容器５６の口部５７を挟持して装着されている。なお５８は前記口部５７に形成された係合部、５９は前記中筒５３に形成された係止部であり、中栓５１は上記係合部５８に対する係止部５９の係止によって固定されている。
【０００３】
次に６０は前記内筒５２の内側に形成された遮断壁であり、無端状の裂溝６１を有し、かつ上面に裂取部材６２を有している。
又６３は注筒、６４は鍔状部、６５は中筒５３のスカート部を示す。６６は外蓋であり、前記中筒５３に螺合させられている。但しこれは係合であってもよい。６７は中足を示す。
このように構成されたキャップ６８を容器５６に装着する場合は、前記中栓５１に外蓋６６を螺合又は係合により装着した状態のまま、図示しない打栓機により前記口部５７へ打栓し、前記係止部５９を前記係合部５８に係止する。
消費者等は使用の際、外蓋６６を外し、裂取部材６２を上方に引っ張り、裂溝６１を裂切ってそこに通口を形成し、容器５６内の図示しないドレッシング等を注出して用いる。
【０００４】
【発明が解決しようとする課題】
しかし、前記のように構成された従来のキャップは次に述べるような難点を有している。これについて述べると、まず前記のようなに外蓋６６は中栓５１に螺合又は係合させられてあり、この状態で前記口部５７へ打栓すると、前記内筒５２は予め前記口部５７の内径より僅かに大径に形成されてあり、その状態で前記口部５７内に圧入させられるため、内筒５２は小径化するのである。
この小径化は接続部５４を介して中筒５３に及び、中筒５３もつれて小径化する。このため該中筒５３に螺合又は係合している外蓋６６は、螺合部又は係合部が緩み、中栓５１から外れ易くなってしまうのである。
この発明は上記の状況を改良しようとするもので、その目的はこのキャップを容器５６の口部５７に打栓して、内筒５２が前記口部５７内へ圧入され、小径化しても、中栓５１と外蓋６６との間の螺合又は係合に緩みを来すことのないキャップを提供することである。
【０００５】
前記問題を解決するこの発明のキャップについて述べると、それは、
合成樹脂により形成され中栓１２と、該中栓１２に装着される外蓋１０と、を備えたキャップであって；前記中栓１２は、容器の口部を内外から挟持する内筒１、中筒２、及び接続部３から成る挟持部４；前記内筒１の内側に一体に設けられた、通口を形成できる遮断壁５；前記挟持部４に、かつ前記中筒２と間隙６を隔てて、前記中筒２の外側に上端部７を連接部８により連接し、下端部９を開放状態として一体に設けられた外筒１１であって、その外周面に前記外蓋１０を螺合するねじ部が形成され、下方の方が半径方向外方に傾斜した外筒１１；により形成されており、前記間隙６は、開放状態に形成され、前記外蓋１０は、該中栓１２の前記外筒１１に螺合して装脱自在に設けられることを特徴とするキャップ、である。
【０００６】
この発明の実施の形態について述べると、
合成樹脂により形成され中栓１２と、該中栓１２に装着される外蓋１０と、を備えたキャップであって；前記中栓１２は、容器の口部を内外から挟持する内筒１、中筒２、及び接続部３から成る挟持部４；前記内筒１の内側に一体に設けられた、通口を形成できる遮断壁５；前記挟持部４に、かつ前記中筒２と間隙６を隔てて、前記中筒２の外側に上端部７を連接部８により連接し、下端部９を開放状態として一体に設けられた外筒１１であって、その外周面に前記外蓋１０を螺合するねじ部が形成され、下方の方が半径方向外方に傾斜した外筒１１；により形成されており、前記間隙６は、開放状態に形成され、前記外蓋１０は、該中栓１２の前記外筒１１に螺合して装脱自在に設けられることを特徴とするキャップ、である。
【０００７】
この発明は前記のように構成され、中栓１２は合成樹脂により形成され、その外筒１１は中筒２の外側に、中筒２と間隙６を隔てて、一端部７を連接し、他端部９を開放状態として一体に設けられ、外蓋１０と螺合させたことにより、該外筒１１は前記間隙６により半径方向に弾性を表わす形態に形成されたことになり、外蓋１０は外筒１１に、外筒１１を内方に弾性変形させた状態で螺合しており、このため前記内筒１が前記容器の口部内への打栓により圧入させられて小径化しても、前記外筒１１はその半径方向の弾性の復元力により殆ど小径化しない。このため前記打栓に伴う内筒１の小径化の影響を殆ど受けないですみ、外蓋１０との螺合の緩むことを防止することができる。又、前記間隙６は、開放状態に形成された下端部９が、上端部７より大きくなる傾斜を与えられて形成されている前記キャップである。
【０００８】
この発明は前記のように構成されたことにより、外蓋１０を上方から中蓋２に被せ、外筒１１に螺合させ、螺進することにより、又は上方から下方に移動して被せて係合させることにより、下方の方が半径方向外方に傾斜した外筒１１を内方に弾性変形させつつ被せることができ、このためキャップの打栓の際の、内筒１の小径化の影響を殆ど受けないように構成することができる。
【０００９】
又、この発明の更に他の実施の形態について述べるとそれは、外筒１１は下端部９に鍔状部１３を介して、容器１４の外周に接するスカート部１５を有している前記キャップである。
この発明は前記のように構成されたことにより、外筒１１が外蓋１０の螺合又は係合により内方に押圧された場合、該外筒１１は前記スカート部１５が容器に接して、外筒１１からスカート部１５に亘るバネを形成するため、外筒１１の半径方向の強度を増強することができ、外筒１１の弾性復元力を高めることができる。
【００１０】
【実施例】
図１において１２は合成樹脂製の中栓であり、同中栓１２は、内筒１、中筒２、及び接続部３から成る挟持部４によって容器１４の口部１６を挟持するようにして装着させられている。そして前記内筒１の内側には無端状の裂溝１７を有する遮断壁５が一体に形成されている。１８は前記遮断壁５の上部に設けられた裂取部材であり、該裂取部材１８を上方に引っ張ることにより前記遮断壁５を、裂溝１７から裂切り、そこに通口を形成して容器１４内の図示しない液体商品、ドレッシング等を注出して用いるようになっている。
【００１１】
次に、前記中筒２に、前記中筒２との間に間隙６を隔てて上端部７を連接部８によって連接して外筒１１が設けられている。この外筒１１の下端部９は開放状態に構成されている。そして該外筒１１に螺合させて外蓋１０が設けられている。なおこれは螺合の外に、図示は省略するが、相互に突起を設けての係合であってもよい。図１には螺合した外蓋１０が設けられている。
次に前記中筒２と外筒１１の間の間隙６について述べると、同間隙６は同図に示すように上端部７より下端部９の方が大きくなるような傾斜を与えて形成されている。
【００１２】
そして前記外筒１１の下端部９は鍔状部１３を介してスカート部１５が一体に設けられてあり、該スカート部１５は容器１４の外周に接しさせて設けられている。なお図１中１９は容器１４に形成された承け部で、前記スカート部１５を下方から支持している。又２０は容器１４の口部１６外側に設けられた突起状の係合部で、前記中筒２の内側に設けられた突起状の係止部２１と上下方向に係合させられている。又２２は注筒、２３は前記注筒２２を密閉する中足を示す。
【００１３】
【発明の効果】
請求項１の発明は、前記のように構成され、中栓１２は合成樹脂により形成され、その外筒１１は中筒２の外側に、中筒２と間隙６を隔てて上端部７を連接し、下端部９を開放状態として一体に設けられ、外蓋１０と螺合させたことにより、該外筒１１は前記間隙６により半径方向に弾性を現わす形態に形成されたことになり、外蓋１０は外筒１１に、外筒１１を内方に弾性変形させた状態で螺合しており、このため前記内筒１が前記口部１６内への打栓により圧入させられて小径化しても、前記外筒１１その半径方向の弾性の復元力により殆ど小径化しない。このため前記打栓に伴う内筒１の小径化の影響を殆ど受けないですみ、外蓋１０との螺合の緩むことを防止することができる。
【００１４】
この発明は、前記のように構成されたことにより、外蓋１０を上方から中栓１２に被せ、外筒１１に螺合させ、螺進することにより、下方の方が半径方向外方に傾斜した外筒１１を内方に弾性変形させつつ被せることができ、このためキャップの打栓の際の、内筒１の小径化の影響を殆ど受けないように構成することができる。
【００１５】
請求項２の発明は、前記のように構成されたことにより、外筒１１が外蓋１０の螺合により内方に押圧された場合、該外筒１１は前記スカート部１５が容器に接して、外筒１１からスカート部１５に亘るバネを形成するため、外筒１１の半径方向の強度を増強することができ、外筒１１の弾性復元力を高めることができる。
【図面の簡単な説明】
【図１】この発明の実施例を示し、キャップの、容器口部に装着した場合の半断面図である。
【図２】従来の同種キャップを容器口部に装着した場合の半断面図である。
【符号の説明】
１      内筒
２      中筒
３      接続部
４      挟持部
５      遮断壁
６      間隙
７      上端部
８      連接部
９      下端部
１０      外蓋
１１      外筒
１２      中栓
１３      鍔状部
１４      容器
１５      スカート部
【図１】
0003796677.tif 000002
【図２】
0003796677.tif 000003